(57)【特許請求の範囲】
【請求項１】
低温の被加熱液中へ高温蒸気を直接に供給して、被加熱液を加熱するものにおいて、被加熱液を入れた開放タンクと、被加熱液と熱交換する熱交換器と、蒸気供給管から蒸気が供給されるスチームエゼクタを配置して、当該スチームエゼクタの吸引室へ被加熱液を吸引すると共に、熱交換器でスチームエゼクタからの低温流体と蒸気が熱交換する、又は、熱交換器で被加熱液と蒸気が熱交換する、又は、熱交換器でスチームエゼクタからの混合流体と被加熱液が熱交換することにより、供給蒸気温度を所定温度まで低下させて被加熱液中へ供給することを特徴とする蒸気凝縮装置。
【発明の詳細な説明】
【０００１】
【発明の属する技術分野】
本発明は、被加熱液中へ高温蒸気を直接に分散供給して、供給蒸気を凝縮させると共に、被加熱液を加熱する蒸気凝縮装置に関する。
【０００２】
【従来の技術】
従来の蒸気凝縮装置としては、例えば、実開昭５０−７６２０２号公報に示されたものがある。これは、蒸気を水中に直接放出する蒸気排出管の水中浸漬部分の周壁に、水深の増加方向に対して蒸気と水の接触面積が増加するように、多数の孔を設けたもので、蒸気排出管内の圧力変化を吸収して、蒸気凝縮時の騒音や振動を防止するものである。
【０００３】
【発明が解決しようとする課題】
上記従来のものでは、蒸気の供給量がある一定量を越えない範囲では振動や騒音を防止することができるが、多量の蒸気が供給された場合などにおいては確実に振動や騒音を防止することができない問題があった。
【０００４】
蒸気を水中へ直接放出した場合、蒸気は瞬間的に凝縮してその容積が減少することにより蒸気泡が破壊され著しい騒音や振動を発生するのである。
【０００５】
従って本発明の課題は、蒸気の供給量にかかわらず、蒸気の凝縮に伴う著しい騒音や振動を発生することのない蒸気凝縮装置を得ることである。
【０００６】
【課題を解決するための手段】
上記の課題を解決するために講じた本発明の手段は、低温の被加熱液中へ高温蒸気を直接に供給して、被加熱液を加熱するものにおいて、被加熱液を入れた開放タンクと、被加熱液と熱交換する熱交換器と、蒸気供給管から蒸気が供給されるスチームエゼクタを配置して、当該スチームエゼクタの吸引室へ被加熱液を吸引すると共に、熱交換器でスチームエゼクタからの低温流体と蒸気が熱交換する、又は、熱交換器で被加熱液と蒸気が熱交換する、又は、熱交換器でスチームエゼクタからの混合流体と被加熱液が熱交換することにより、供給蒸気温度を所定温度まで低下させて被加熱液中へ供給するものである。
【０００７】
【発明の実施の形態】
被加熱液の一部がスチ―ムエゼクタの吸引室へ吸引され、エゼクタ内の蒸気と混合されて温度低下し、この温度低下した混合流体と被加熱流体への供給蒸気を熱交換することにより、供給蒸気温度は低下して大部分が凝縮して高温水となって被加熱液中へ供給される。被加熱液中へ供給されるのが、全て蒸気ではなく、大部分が凝縮した高温水であるために、被加熱液中で蒸気が凝縮することが少なく、従って、蒸気の凝縮に伴う騒音や振動を生じることはほとんどない。
【０００８】
スチ―ムエゼクタの吸引室へ吸引される吸引途中において、吸引される被加熱液と供給蒸気を熱交換することにより、吸引される被加熱液は加熱され温度上昇してスチ―ムエゼクタの吸引室へ吸引され、一方供給蒸気は温度降下してそのほとんどが凝縮し高温水となって被加熱液中へ供給される。被加熱液中へ供給されるのは、ほとんどが高温水であるために、被加熱液中で蒸気の凝縮に伴う騒音や振動を発生することがない。
【０００９】
【実施例】
第１の実施例を図１において説明する。被加熱液１を入れた開放タンク２と、被加熱液１を吸引するスチ―ムエゼクタ３と、加熱用の蒸気を供給する蒸気供給管４、及び、熱交換器５で蒸気凝縮装置を構成する。
【００１０】
蒸気供給管４を分岐して、一方をバルブ６を介して熱交換器５と接続すると共に、他方をバルブ７を介してスチ―ムエゼクタ３の吸引室１０内の図示しないノズルと接続する。熱交換器５の下部は管８を介して高温水分散供給口９と接続する。スチ―ムエゼクタ３の吸引室１０は管１１を介して被加熱液１の底部と連通する。スチ―ムエゼクタ３の出口側は管１２を介して熱交換器５と接続する。
【００１１】
蒸気供給管４からスチ―ムエゼクタ３へ蒸気が供給されると、吸引室１０で吸引力を生じて管１１から被加熱液を吸引し、供給蒸気と混合されて低温流体となって管１２から熱交換器５へ供給される。一方、熱交換器５へバルブ６を介して供給される蒸気は、スチ―ムエゼクタ３からの低温流体と熱交換器５内で混流して熱交換されて凝縮し、高温水となって分散供給口９から被加熱液１中へ分散供給され、被加熱液１を加熱する。
【００１２】
被加熱液１中に供給されるのは熱交換された高温水であり、蒸気を供給した場合のような瞬間的な凝縮を生じることがなく、騒音や振動を発生することなく被加熱液を加熱することができる。
【００１３】
次に第２実施例を図２において説明する。尚、図１の第１実施例と同一の部材には同一符号を付す。本実施例においては、スチ―ムエゼクタ３の吸引室１０に吸引する被加熱液１を、管１３と熱交換器１４を介してタンク２の底部から吸引するものである。すなわち、熱交換器１４の下部に管１３を逆止弁１５を介して接続すると共に、熱交換器１４の上部を逆止弁１６を介してスチ―ムエゼクタ３の吸引室１０と接続する。熱交換器１４内には、蒸気供給管４をコイル状に配置してその下部を管８を介して高温水分散供給口９と接続する。スチ―ムエゼクタ３の出口側は管１７を介して別個の高温水分散供給口１８と接続する。
【００１４】
蒸気供給管４からスチ―ムエゼクタ３へ蒸気が供給されると、被加熱液１は管１３から熱交換器１４を介して吸引室１０内へ吸引される。一方、熱交換器１４内へは別途蒸気が供給されており、この蒸気は熱交換器１４内で管１３からの低温の被加熱液１と熱交換されて凝縮し、高温水となって管８と分散供給口９から被加熱液１中へ分散供給され、被加熱液１を騒音や振動を生じることなく加熱する。熱交換器１４内で蒸気によって熱交換された管１３からの被加熱液１は、温度上昇してスチ―ムエゼクタ３の吸引室１０へ吸引され、蒸気と混合して高温水となって管１７と別個の分散供給口１８から被加熱液１中へ分散供給され、同じく被加熱液１を騒音や振動を生じることなく加熱する。
【００１５】
次に第３実施例を図３において説明する。図１と図２の第１及び第２の実施例と同一の部材には同一符号を付す。本実施例においては、蒸気供給管４と熱交換器１４の間にスチ―ムエゼクタ３を配置したもので、スチ―ムエゼクタ３の出口側を熱交換器１４内のコイル管２０と接続すると共に、管８を介して高温水分散供給口９と接続したものである。
【００１６】
蒸気供給管４からスチ―ムエゼクタ３に蒸気を供給すると、管１３と逆止弁１５と熱交換器１４と逆止弁１６を介して被加熱液１が吸引室１０へ吸引され、スチ―ムエゼクタ３内で蒸気と混合して、更にコイル管２０を通過して管１３からの被加熱液１と熱交換され、高温水となって管８と分散供給口９から被加熱液１中へ分散供給されることにより、被加熱液１を加熱するものである。
【００１７】
【発明の効果】
本発明の蒸気凝縮装置では、被加熱液中へ供給する蒸気を、前もって被加熱液の一部で熱交換して凝縮させ高温水とすることにより、被加熱液中での蒸気の凝縮に伴う騒音や振動を発生することのない蒸気凝縮装置を得ることができる。
【図面の簡単な説明】
【図１】本発明の蒸気凝縮装置の実施例を示す断面図。
【図２】本発明の蒸気凝縮装置の他の実施例を示す断面図。
【図３】本発明の蒸気凝縮装置の他の実施例を示す断面図。
【符号の説明】
１  被加熱液
２  タンク
３  スチームエゼクタ
４  蒸気供給管
５，１４  熱交換器
９  高温水分散供給口
１０  吸引室
２０  コイル管
【図１】
0003862785.tif 000002
【図２】
0003862785.tif 000003
【図３】
0003862785.tif 000004